(57)【特許請求の範囲】
【請求項１】
工事用看板において、
網目状の空気孔を有するメッシュ構造の部材で構成され、前記部材の表面に告知用の工事情報が表示された告知部材と、
前記告知部材を前記工事用看板の設置面に対して所定の傾斜角度で支持する複数の支柱部材と、
棒状の形状を備え、長手方向が前記告知部材の傾斜方向と同一になるように長手方向の内部で前記支柱部材の接地側の先端に取り付けられ、前記支柱部材を長手方向の側面で支持する支持部材と、
を備える工事用看板。
【請求項２】
前記複数の支柱部材は、前記告知部材を一方側の位置で支持する第１支柱部材と、前記告知部材を反対側の位置で支持する第２支柱部材と、であって、
前記支持部材は、
前記第１支柱部材と前記第２支柱部材との間の角度を一定角度に固定する開き防止部材を流用した部材である請求項１に記載の工事用看板。
【請求項３】
前記支持部材は、
先端が前記工事用看板の外側に向けて折り曲げられている請求項１又は２に記載の工事用看板。
【請求項４】
前記支持部材は、
前記支柱部材の接地側の先端に回動可能に取り付けられている請求項１乃至３のいずれかに記載の工事用看板。
【請求項５】
前記支持部材は、前記告知部材を一方側の位置で支持する支柱部材の接地側の先端に取り付けられた第１支持部材と、前記告知部材を反対側の位置で支持する支柱部材の接地側の先端に取り付けられた第２支持部材と、であって、
前記第１支持部材と前記第２支持部材とに取り付けられ、前記工事用看板の設置時に山型の形状を成す一対の平板部材を更に備える請求項１乃至４のいずれかに記載の工事用看板。
【請求項６】
前記複数の支柱部材は、前記告知部材を一方側の位置で支持する第１支柱部材と、前記告知部材を反対側の位置で支持する第２支柱部材と、であって、
前記第１支柱部材と前記第２支柱部材との間に取り付けられ、前記工事用看板の設置面に向けて揚力を生じさせる翼型の平板部材を更に備える請求項１乃至５のいずれかに記載の工事用看板。
【発明の詳細な説明】
【技術分野】
【０００１】
本発明は、工事用看板に関する。
【背景技術】
【０００２】
電線工事等を行う場合、現在工事中であることを通行人等に告知するため工事用看板が設置される（非特許文献１参照）。立て掛けタイプの工事用看板は、通常、足となる計４つの支柱部材を持つ。前側２つの支柱部材は、平行な複数の渡し棒部材で繋がれており、当該複数の渡し棒部材に工事情報を示す告知部材が取り付けられている。
【０００３】
また、対向者にも工事中であることを知らしめるため、後側２つの支柱部材にも告知部材が取り付けられている。そして、前側２つの支柱部材と後側２つの支柱部材は、互いに支え合うように上部で回動可能に結合されており、前後２つの支柱部材には、互いの間の角度を一定角度に固定する開き防止部材が脱着可能に取り付けられている。
【先行技術文献】
【非特許文献】
【０００４】
【非特許文献１】“工事標識”、協立工業株式会社、［2020年3月5日検索］、インターネット＜URL : http://www.kyoritsukogyo.co.jp/products/electricity.html＞
【発明の概要】
【発明が解決しようとする課題】
【０００５】
しかしながら、従来の工事用看板は、工事情報の表示面全体が有体の告知部材で構成されているため、当該表示面全体で風を受けてしまう。また、前後２つの支柱部材間の角度は約２０度と小さく、当該前後２つの支柱部材の接地側先端間の距離が短いため、強風により当該接地側先端を支点に簡単に転倒してしまう。さらに、開き防止部材が取り付けられた状態で転倒すると、前後２つの支柱部材の接地側先端が閉じずに帆掛け船のような形になり、風が工事用看板の内側に入り込んで道路上を滑走し、通行人、車両、建物等に衝突する可能性もあった。
【０００６】
本発明は、上記に鑑みてなされたものであり、本発明の目的は、転倒を防止可能な工事用看板を提供することにある。
【課題を解決するための手段】
【０００７】
上記課題を解決するため、本発明の工事用看板は、工事用看板において、網目状の空気孔を有するメッシュ構造の部材で構成され、前記部材の表面に告知用の工事情報が表示された告知部材と、前記告知部材を前記工事用看板の設置面に対して所定の傾斜角度で支持する複数の支柱部材と、棒状の形状を備え、長手方向が前記告知部材の傾斜方向と同一になるように長手方向の内部で前記支柱部材の接地側の先端に取り付けられ、前記支柱部材を長手方向の側面で支持する支持部材と、を備える。
【０００８】
上記課題を解決するため、本発明の工事用看板は、工事用看板において、網目状の空気孔を有するメッシュ構造の部材で構成され、前記部材の表面に告知用の工事情報が表示された告知部材と、前記告知部材を前記工事用看板の設置面に対して所定の傾斜角度で支持する複数の支柱部材と、平板状の形状を備え、平板面の内部で前記支柱部材の接地側の先端に取り付けられ、前記支柱部材を平板面で支持する支持部材と、を備える。
【発明の効果】
【０００９】
本発明によれば、転倒を防止可能な工事用看板を提供できる。
【図面の簡単な説明】
【００１０】
【図１】第１実施形態に係る工事用看板の構成例を示す正面図である。
【図２】第１実施形態に係る工事用看板の構成例を示す側面図である。
【図３】第１実施形態に係る工事用看板の構成例を示す上面図である。
【図４】第１実施形態に係る工事用看板を折り畳んだ状態を示す側面図である。
【図５】第１実施形態に係る工事用看板の第１変形例を示す上面図である。
【図６】第１実施形態に係る工事用看板の第２変形例を示す側面図である。
【図７】第１実施形態に係る工事用看板の第３変形例を示す側面図である。
【図８】第２実施形態に係る工事用看板の構成例を示す正面図である。
【図９】第２実施形態に係る工事用看板の構成例を示す側面図である。
【図１０】第２実施形態に係る工事用看板の構成例を示す上面図である。
【図１１】第２実施形態に係る支持部材の拡大図である。
【発明を実施するための形態】
【００１１】
以下、本発明を実施する一実施形態について図面を用いて説明する。
【００１２】
［概要］
工事用看板の転倒を防止するには、前後２つの支柱部材間の角度を大きし、当該前後２つの支柱部材の接地側先端間の距離（つまり、支点間の距離）を長くする方法も考えられる。しかしながら、その方法では、工事用看板が大きく傾斜してしまい、通行人側から見て工事情報が見え難くなる。
【００１３】
そこで、本実施形態に係る工事用看板は、告知部材をメッシュ構造とし、当該告知部材を支える支柱部材の接地側先端に棒状又は平板状の支持部材を取り付ける。このように、告知部材をメッシュ構造としたことにより、告知部材が受ける風の抵抗を小さくすることができる。
【００１４】
また、支柱部材の接地側先端に棒状の支持部材を取り付けたことにより、支柱部材の接地側先端ではなく、支柱部材の接地側先端よりも外側に位置する棒状の支持部材の先端が支点になるので、前後２つの支柱部材間の角度を従来の角度と同一角度に維持しながら、前後の支点間の距離を大きくすることができ、前後方向での工事用看板の転倒を防止可能となる。
【００１５】
また、支柱部材の接地側先端に平板状の支持部材を取り付けたことにより、前後の支点間の距離を大きくすることに加え、左右の支点間の距離及び斜めの支点間の距離も大きくすることができ、前後方向、左右方向、斜め方向での工事用看板の転倒を防止可能となる。
【００１６】
また、本実施形態に係る工事用看板は、上記棒状又は平板状の支持部材を支柱部材の接地側先端に回動可能に取り付ける。これにより、工事用看板の設置面に傾斜がある場合でも、その傾斜角度に合わせて支持部材の角度を調整可能となるので、工事用看板の転倒をより確実に防止可能となる。また、支持部材を工事用看板の内側に折り畳むことができるので、運搬時や車載時の利便性を高める効果もある。
【００１７】
［第１実施形態］
図１は、第１実施形態に係る工事用看板の構成例を示す正面図である。図２は、当該工事用看板の側面図である。図３は、当該工事用看板の上面図である。工事用看板は、告知部材１（１ａ，１ｂ）と、４つの支柱部材２（２ａ〜２ｄ）と、４つの支持部材３（３ａ〜３ｄ）と、を備える。
【００１８】
告知部材１は、網目状の空気孔を有するメッシュ構造の部材で構成され、当該部材の表面に告知用の工事情報が表示された部材である。例えば、告知部材１は、約５ｍｍの正方形孔を行列状に有し、縦横が約１００ｃｍ×約８０ｃｍの大きさを持つ黄色のビニール生地を用いて、当該生地の表面の一部に「注意」「電話工事中」「〇〇〇株式会社」等の告知文字を印刷したシールを貼ることで形成する。このように、本実施形態では、告知部材１をメッシュ構造にしたので、告知部材１が受ける風の抵抗を小さくすることができる。
【００１９】
告知文字の色は、告知内容により色分けを行う。例えば、「注意」「電話工事中」を注目度の高い赤色とし、「〇〇〇株式会社」を注目度の低い黒色等の汎用色とする。また、告知文字の素材は、反射タイプのカッティングシート等、光りを反射する反射素材とする。このように、本実施形態では、告知内容に応じて告知文字の色分けを行い、告知文字の素材を反射素材にしたので、夕暮れや夜間であっても告知文字を見易くすることができる。
【００２０】
なお、告知部材１をメッシュ構造にしたことで、ビニール生地の見た目上の黄色みが全体的に薄くなる。そこで、告知部材１の生地色を濃い蛍光の黄色とする。例えば、蛍光色の山吹色のビニール生地を用いてもよいし、黄色の生地に山吹色の蛍光インクを塗ってもよい。このように、本実施形態では、告知部材１の生地色を濃い蛍光の黄色にしたので、赤色や黒色の告知文字を視覚的に浮き立たせることができ、工事中であることをより強くアピールすることができる。
【００２１】
その他、孔のない布生地や金属の延べ板に約３ｍｍの円孔を千鳥状にユーザ自身で開けた部材を告知部材１としてもよい。告知文字は、インクで描いてもよいし、ビニールテープで形成してもよい。また、告知文字のシールを貼ると空気孔の領域が少なくなるので、当該シール自体に空気孔を開けてもよい。
【００２２】
上記告知部材１を２つ用意し、一方の告知部材１ａを工事用看板の前側に配置し、他方の告知部材１ｂを後側に配置する（図３参照）。尚、これら２つの告知部材１ａ，１ｂの告知内容は、互いに同一でもよいし、互いに異なっていてもよい。
【００２３】
４つの支柱部材２（２ａ〜２ｄ）は、上記２つの告知部材１ａ，１ｂを工事用看板の設置面に対して所定の傾斜角度で支持する部材である。例えば、４つの支柱部材２は、金属パイプ等で構成されている。前側２つの支柱部材２ａ，２ｂは、平行な３つの渡し棒部材４ａ，４ｂ，４ｃで繋がれており、そのうち２つの渡し棒部材４ａ，４ｂに一方の告知部材１ａが取り付けられている。
【００２４】
後側２つの支柱部材２ｃ，２ｄは、平行な２つの渡し棒部材４ｄ，４ｅで繋がれており、当該２つの渡し棒部材４ｄ，４ｅに他方の告知部材１ｂが取り付けてられている。さらに、前側２つの支柱部材２ａ，２ｂと後側２つの支柱部材２ｃ，２ｄは、互いに支え合うように上部で回動可能に結合されている。
【００２５】
４つの支持部材３（３ａ〜３ｄ）は、棒状の形状を備え、長手方向が告知部材１の傾斜方向（図１の紙面奥行方向、図２、図３の水平方向）と同一になるように、長手方向の内部（非先端）で４つの支柱部材２（２ａ〜２ｄ）の接地側の各先端にそれぞれ回動可能に取り付けられた部材であり、当該４つの支柱部材２（２ａ〜２ｄ）を長手方向の側面でそれぞれ支持する。
【００２６】
例えば、４つの支持部材３（３ａ〜３ｄ）は、金属パイプで構成されており、そのうち一の支持部材３ａは、金属パイプの長手方向の中央３１で支柱部材２ａの接地側の先端２１に可動機構で接続されている（図２参照）。他の支持部材３ｂ〜３ｄも同様の構成を持つ。
【００２７】
可動機構は、２つの可動対象を互いに回転、回動可能な機構や構造であればよい。例えば、長手方向の中央３１に２つの平坦な凸型の取付部を溶接し、当該２つの取付部の間に支柱部材２の先端２１を挿入して、１本の針金で突き刺す構造が考えられる。
【００２８】
このように、第１実施形態では、長手方向が告知部材１の傾斜方向と同一になるように、長手方向の内部（非先端）で支柱部材２の接地側の各先端にそれぞれ回動可能に棒状の支持部材３をそれぞれ取り付けたので、４つの支柱部材２ａ〜２ｄの接地側の各先端よりも外側に位置する４つの支持部材３ａ〜３ｄの外側の先端がそれぞれ支点になる。
【００２９】
それ故、従来の前後の支点間の距離Ｌを距離Ｌ’に長くすることができ、前後方向での工事用看板の転倒を防止可能となる（図２、図３参照）。すなわち、前後２つの支柱部材２間の角度を従来の角度θと同一角度で維持しながら、当該角度θを角度θ’に大きくした場合と同一の転倒防止効果を得ることができる（図２参照）。
【００３０】
また、本実施形態では、支持部材３を支柱部材２の接地側の先端２１に回動可能に取り付けたので、工事用看板の設置面に傾斜がある場合でも、その傾斜角度に合わせて支持部材３の角度を調整することができる（図４参照）。また、支持部材３を工事用看板の内側に折り畳むことができるので、運搬時や車載時の利便性を高めることができる。支持部材３の分だけ従来よりも全長が長くなるが、従来と同様に車両に搭載可能である。
【００３１】
なお、支持部材３は、従来の工事用看板に対して新たな部材を用いて構成してもよいが、図１〜図４に示した本実施形態では、従来の工事用看板から取り外した開き防止部材を一部の支持部材３としてそのまま流用している。
【００３２】
開き防止部材とは、一方の告知部材１ａを前側の位置で支持する支柱部材２ａと他方の告知部材１ｂを後側の位置で支持する支柱部材２ｃとの間（又は、前側の支柱部材２ｂと後側の支柱部材２ｄとの間）に脱着可能に取り付けられる棒状の部材であり、前側の支柱部材２ａと後側の支柱部材２ｃとの間（又は、前側の支柱部材２ｂと後側の支柱部材２ｄとの間）の角度を一定角度に固定するための部材である。このように、本実施形態では、開き防止部材を支持部材３として流用したので、工事用看板の製造コストを抑制することができる。
【００３３】
引き続き第１実施形態の変形例を説明する。
【００３４】
図５は、第１実施形態に係る工事用看板の第１変形例を示す上面図である。図５に示すように、第１変形例では、４つの支持部材３ａ〜３ｄの各先端をそれぞれ工事用看板の外側に向けて折り曲げた構成にする。これにより、前後の支点間の距離（Ｌ１’）が大きくなることに加え、左右の支点間の距離（Ｌ２’）及び斜めの支点間の距離（Ｌ３’）も大きくなるので、前後方向、左右方向、斜め方向での工事用看板の転倒を防止可能となる。
【００３５】
図６は、第１実施形態に係る工事用看板の第２変形例を示す側面図である。図６に示すように、第２変形例では、工事用看板の設置時に山型の形状を成す一対の平板部材５ａ，５ｂを更に備えて構成する。例えば、支持部材３ａの側面に平板部材５ａを工事用看板の内側に傾斜するように取り付ける。同様に支持部材３ｂの側面に別の平板部材５ｂを工事用看板の内側に傾斜するように取り付ける。工事用看板を開いて設置すると、その２つの平板部材５ａ，５ｂが山型に開く。これにより、風が山型の一対の平板部材５ａ，５ｂを乗り越えるときに工事用看板の設置面に向けた下方向の圧力がかかるので、工事用看板の転倒をより確実に防止可能となる。
【００３６】
図７は、第１実施形態に係る工事用看板の第３変形例を示す側面図である。図７に示すように、第３変形例では、工事用看板の設置面に向けて揚力を生じさせる翼型の平板部材６を更に備えて構成する。例えば、飛行機の翼と同様の断面形状を持つ平板部材６を上下反対にして前後４つの支柱部材２ａ〜２ｄに取り付ける。これにより、風が吹くと当該平板部材６を地面に押し付ける方向に圧力（揚力）が働くので、工事用看板の転倒をより確実に防止可能となる。
【００３７】
その他、４つの支持部材３ａ〜３ｄの上に所定の重さを持つおもりを乗せることで、工事用看板の転倒をさらに確実に防止する方法も考えられる。
【００３８】
［第２実施形態］
図８は、第２実施形態に係る工事用看板の構成例を示す正面図である。図９は、当該工事用看板の側面図である。図１０は、当該工事用看板の上面図である。図１１は、支持部材の拡大図である。工事用看板は、告知部材１（１ａ，１ｂ）と、４つの支柱部材２（２ａ〜２ｄ）と、４つの支持部材３（３ａ〜３ｄ）と、を備える。告知部材１及び支柱部材２は、第１実施形態と同じである。
【００３９】
４つの支持部材３（３ａ〜３ｄ）は、平板状の矩形形状を備え、平板面の内部（非先端）で４つの支柱部材２の接地側の各先端にそれぞれ回動可能に取り付けられた部材であり、４つの支柱部材２を平板面でそれぞれ支持する。
【００４０】
例えば、４つの支持部材３（３ａ〜３ｄ）は、金属板で構成されており、そのうち一の支持部材３ａは、平板面の内部３２で支柱部材２ａの接地側の先端２１に可動機構で接続されている（図１１（ａ）参照）。他の支持部材３ｂ〜３ｄも同様の構成を持つ。
【００４１】
可動機構は、２つの可動対象を互いに回転、回動可能な機構や構造であればよい。例えば、平板面の内部３２に２つの平坦な凸型の取付部３３を持つコ型の取付ブロック３４を溶接し、当該２つの取付部３３の間に支柱部材２ａの先端２１を挿入して、１本の針金３５で突き刺す構造が考えられる（図１１（ａ），（ｂ）参照）。
【００４２】
このとき、コ型の真ん中の「｜」の部分３６に１ｃｍ程度の高さを持たせ、支持部材３ａが工事用看板の更なる外側に回転しないようにする。また、支持部材３の底面は滑り止めのゴム３７を取り付ける。さらに、支持部材３の外側の先端表面におもり３８を取り付け、支持部材３の内側の先端表面に磁石３９を取り付ける。
【００４３】
これにより、工事用看板を持ち上げるとおもり３８の重みで支持部材３ａの外側の先端が下がるので、支持部材３ａを簡単に折り畳むことができる。可動式の支持部材３になるので、複数の工事用看板を重ねた場合でも邪魔にならず、運搬時や車載時の利便性を高めることができる。
【００４４】
このように、第２実施形態では、平板面の内部（非先端）で４つの支柱部材２の接地側の各先端にそれぞれ回動可能に平板状の支持部材３を取り付けたので、４つの支柱部材２ａ〜２ｄの接地側の各先端よりも外側に位置する４つの支持部材３ａ〜３ｄの外側の枠線がそれぞれ支点になる。
【００４５】
それ故、前後の支点間の距離、左右の支点間の距離、斜めの支点間の距離の全てを同時に従来の支点間の距離よりも長くすることができ、前後方向、左右方向、斜め方向の全方向での工事用看板の転倒を防止可能となる。
【００４６】
なお、第１実施形態で説明した第２変形例及び第３変形例は、第２実施形態にも適用可能である。また、第１実施形態と第２実施形態とを組み合わせることも可能である。
【符号の説明】
【００４７】
１，１ａ，１ｂ…告知部材
２，２ａ〜２ｄ…支柱部材
３，３ａ〜３ｄ…支持部材
４ａ〜４ｅ…渡し棒部材
５ａ，５ｂ…平板部材
６…平板部材
３３…取付部
３４…取付ブロック
３５…針金
３７…ゴム
３８…おもり
３９…磁石
【要約】
【課題】転倒を防止可能な工事用看板を提供する。
【解決手段】工事用看板は、網目状の空気孔を有するメッシュ構造の部材で構成され、前記部材の表面に告知用の工事情報が表示された告知部材１（１ａ，１ｂ）と、前記告知部材を前記工事用看板の設置面に対して所定の傾斜角度で支持する複数の支柱部材２（２ａ〜２ｄ）と、棒状の形状を備え、長手方向が前記告知部材の傾斜方向と同一になるように長手方向の内部で前記支柱部材の接地側の先端に取り付けられ、前記支柱部材を長手方向の側面で支持する支持部材３（３ａ〜３ｄ）と、を備える。
【選択図】図１【図１】
0006902642.tif 000002
【図２】
0006902642.tif 000003
【図３】
0006902642.tif 000004
【図４】
0006902642.tif 000005
【図５】
0006902642.tif 000006
【図６】
0006902642.tif 000007
【図７】
0006902642.tif 000008
【図８】
0006902642.tif 000009
【図９】
0006902642.tif 000010
【図１０】
0006902642.tif 000011
【図１１】
0006902642.tif 000012